(57)【要約】【課題】可変入賞装置を備えた羽根物と呼ばれる機種であって、遊技に新たな変化を生じさせ得る弾球遊技機を提案する。【解決手段】夫々の少なくとも一の開放時間が相互に異なる複数の短時間開放態様を備え、管理者の操作によってセットされた一の短時間開放態様に従って、始動口への入球を契機として大入賞口を開放するものであり、さらに、各短時間開放態様を構成する開放時間の最大値と最小値との時間差を基準開放時間の１／５以内とした構成である。かかる構成によれば、前記短時間開放態様を変更することで、同一機台であっても、異なる遊技性を遊技者に提供できる。【選択図】図６
2019063396.tif 000002
【特許請求の範囲】
【請求項１】
遊技球を入球可能な始動口と、
大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、
前記始動口への遊技球の入球を契機として、前記可変入賞装置の大入賞口を、予め設定された短時間開放態様に従って開放する大入賞口開放手段と、
前記大入賞口を介して前記閉鎖作動領域内に流入した遊技球が前記特定領域に入球したことを契機として、前記可動片を所定の特別作動態様により開閉作動させる特別遊技を実行する特別遊技制御手段と
を備えた弾球遊技機において、
前記大入賞口開放手段は、
一または複数の開放時間により夫々構成されて、少なくとも一の開放時間が相互に異なる複数の前記短時間開放態様を備え、管理者の操作によっていずれか一の短時間開放態様を有効としてセットする開放態様セット手段を備えてなり、
前記各短時間開放態様を夫々構成する開放時間が、その最大値と最小値との時間差を基準開放時間の１／５以内とするように、夫々定められていることを特徴とする弾球遊技機。
【請求項２】
遊技球を入球可能な第一始動口と、
遊技球を入球可能な第二始動口と、
大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、
前記第一始動口への遊技球の入球を契機として、前記可変入賞装置の大入賞口を、所定の第一短時間開放態様に従って一回開放する単一開放作動と、前記第二始動口への遊技球の入球を契機として、前記可変入賞装置の大入賞口を、所定の第二短時間開放態様に従って複数回連続して開放する連続開放作動とを実行する大入賞口開放手段と、
前記大入賞口を介して前記閉鎖作動領域内に流入した遊技球が前記特定領域に入球したことを契機として、前記可動片を所定の特別作動態様により開閉作動させる特別遊技を実行する特別遊技制御手段と
を備えた弾球遊技機において、
前記大入賞口開放手段は、
相互に異なる一の開放時間により夫々構成された複数の前記第一短時間開放態様を備え、管理者の操作によっていずれか一の第一短時間開放態様を有効としてセットするものであって、各第一短時間開放態様を夫々構成する開放時間が、その最大値と最小値との時間差を基準開放時間の１／５以内とするように、夫々定められている第一開放態様セット手段と、
複数の開放時間により夫々構成されて、少なくとも一の開放時間が相互に異なる複数の前記第二短時間開放態様を備え、管理者の操作によっていずれか一の第二短時間開放態様を有効としてセットするものであって、各第二短時間開放態様を夫々構成する開放時間が、その最大値と最小値との時間差を基準開放時間の１／５以内とするように、夫々定められている第二開放態様セット手段と
の少なくとも一方を備えてなるものであることを特徴とする弾球遊技機。
【請求項３】
第二短時間開放態様が、複数の開放時間と各開放時間間のインターバル時間とにより構成されたものであって、
第二開放態様セット手段の少なくとも一の第二短時間開放態様は、他の第二短時間開放態様のインターバル時間と異なるインターバル時間を備えたものであることを特徴とする請求項２に記載の弾球遊技機。
【請求項４】
遊技球を入球可能な始動口と、
大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、
特定の前記始動口への遊技球の入球を契機として、前記可変入賞装置の大入賞口を、所定の短時間開放態様に従って複数回連続して開放する連続開放作動を実行する大入賞口開放手段と、
前記大入賞口を介して前記閉鎖作動領域内に流入した遊技球が前記特定領域に入球したことを契機として、前記可動片を所定の特別作動態様により開閉作動させる特別遊技を実行する特別遊技制御手段と
を備えた弾球遊技機において、
前記大入賞口開放手段は、
複数の開放時間により夫々構成されて、少なくとも一の開放時間が相互に異なる複数の前記短時間開放態様を備え、管理者の操作によっていずれか一の短時間開放態様を有効としてセットする開放態様セット手段を備えてなり、
前記各短時間開放態様は、夫々を構成する複数の開放時間を合計した総開放時間が略同一となるように、各開放時間が夫々定められたものであることを特徴とする弾球遊技機。
【請求項５】
遊技球を入球可能な始動口と、
大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、
特定の前記始動口への遊技球の入球を契機として、前記可変入賞装置の大入賞口を、所定の短時間開放態様に従って複数回連続して開放する連続開放作動を実行する大入賞口開放手段と、
前記大入賞口を介して前記閉鎖作動領域内に流入した遊技球が前記特定領域に入球したことを契機として、前記可動片を所定の特別作動態様により開閉作動させる特別遊技を実行する特別遊技制御手段と
を備えた弾球遊技機において、
前記大入賞口開放手段は、
複数の開放時間と各開放時間の間のインターバル時間とにより構成されて、少なくとも一の開放時間が相互に異なる複数の前記短時間開放態様を備え、管理者の操作によっていずれか一の短時間開放態様を有効としてセットする開放態様セット手段を備えてなり、
前記各短時間開放態様は、夫々を構成する複数の開放時間とインターバル時間とを合計した総作動時間が略同一となるように、各開放時間とインターバル時間とが夫々定められたものであることを特徴とする弾球遊技機。
【発明の詳細な説明】
【技術分野】
【０００１】
本発明は、大入賞口を介して外部と連通する閉鎖作動領域内に特定領域が設けられた可変入賞装置を備え、該特定領域への遊技球の入球を契機として、特別遊技を実行する弾球遊技機に関する。
【背景技術】
【０００２】
弾球遊技機には、発射装置から発射された遊技球が流下する遊技領域に、可動片により開閉される大入賞口を備えた可変入賞装置と、遊技球の入球可能な始動口とが配設された構成が知られており（例えば、特許文献１）、羽根物と呼ばれている。ここで、可変入賞装置は、開放された大入賞口を介して外部（前記の遊技領域）と連通されると共に、該大入賞口を閉じた状態で閉鎖される閉鎖作動領域を備え、該閉鎖作動領域内に、遊技球が入球可能な一般領域と特別領域とを備えてなる。かかる構成は、始動口への遊技球の入球を契機として、可動片を開放作動し、大入賞口を介して閉鎖作動領域内に流入した遊技球が、特定領域を通過した場合に、該大入賞口を開閉する開閉ラウンドを所定回数繰り返す特別遊技を実行する。尚、こうした弾球遊技機としては、閉鎖作動領域内に、流入した遊技球を特定領域と一般領域とのいずれかに振り分ける振分機構を備えた構成が、一般的である。
【先行技術文献】
【特許文献】
【０００３】
【特許文献１】特開２０１６−７３４４０号公報
【発明の概要】
【発明が解決しようとする課題】
【０００４】
ところで、上述した羽根物と呼ばれる機種は、特別遊技の実行契機となる特定領域への入球に対する遊技者の関心が高いことから、閉鎖作動領域に入球した遊技球が特定領域または一般領域に至るまでの間に、様々な遊技性を生ずる機能（例えば、上記の振分機構）を備えている。これに比べ、始動口への入球による大入賞口の開放は、前記特別遊技の実行に必須な要件でありながら、従来は主に機械的なしくみにより作動する機構であったことから、変化に乏しいものであった。そのため、ここに新たな機能を設けることにより、遊技に新たな変化を生じさせ得る構成が期待される。
【０００５】
一方、弾球遊技機を設置する遊技店（ホール）では、利益調整のために、遊技盤に植設された遊技釘の角度などを調整することがある。しかしながら、こうした遊技釘の調整は、弾球遊技機が本来有する性能を変えてしまう虞がある。そのため、遊技釘の調整を行うこと無く、利益調整できる構成が求められていた。
【０００６】
本発明は、いわゆる羽根物と呼ばれる機種であって、遊技に新たな変化を生じさせ得る弾球遊技機を提案するものである。
【課題を解決するための手段】
【０００７】
本発明の第一発明は、遊技球を入球可能な始動口と、大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、前記始動口への遊技球の入球を契機として、前記可変入賞装置の大入賞口を、予め設定された短時間開放態様に従って開放する大入賞口開放手段と、前記大入賞口を介して前記閉鎖作動領域内に流入した遊技球が前記特定領域に入球したことを契機として、前記可動片を所定の特別作動態様により開閉作動させる特別遊技を実行する特別遊技制御手段とを備えた弾球遊技機において、前記大入賞口開放手段は、一または複数の開放時間により夫々構成されて、少なくとも一の開放時間が相互に異なる複数の前記短時間開放態様を備え、管理者の操作によっていずれか一の短時間開放態様を有効としてセットする開放態様セット手段を備えてなり、前記各短時間開放態様を夫々構成する開放時間が、その最大値と最小値との時間差を基準開放時間の１／５以内とするように、夫々定められていることを特徴とする弾球遊技機である。
【０００８】
ここで、「短時間開放態様」は、一の開放時間により構成されるものと、複数の開放時間により構成されるものとのいずれであっても良い。そして、「開放態様セット手段」は、一の開放時間により構成される短時間開放態様と、複数の開放時間により構成される短時間開放態様とのいずれか一方または両方を備える。さらに、「複数の開放時間により構成される短時間開放態様」としては、他の短時間開放態様と異なる開放時間を少なくとも一個備えていれば良く、全ての開放時間が異なっていても良い。
また、「基準開放時間」は、開放時間の基準として設定された時間であり、規準の利益（ベース値）を生ずるために設定された時間を示す。そして、遊技機の機種毎に予め設定されており、一般的に実機の仕様書などで示される。
また、「管理者」は、当該弾球遊技機が設置された遊技店の経営者や店長だけでなく、該遊技店の従業員や、試験的に該弾球遊技機を稼動させる者も含まれる。
【０００９】
かかる構成にあっては、始動口への入球により開放する大入賞口の開放時間（短時間開放態様）を、管理者により変更可能としたものであり、該開放時間の変更によって、始動口への入球により開放される大入賞口への入球率を変えることができる。このように大入賞口への入球率が変われば、特別遊技の実行契機となる特定領域に入球する可能性も変わることから、総じて、機台の有する遊技の特性を効果的に変化させ得る。したがって、本構成によれば、前記開放時間（短時間開放態様）を変更することで、同一機台であっても、異なる遊技性を遊技者に提供できる。
さらに、本構成は、開放時間の最大値と最小値との時間差が基準開放時間の１／５以内としていることから、各開放時間の時間差が該基準開放時間に比して小さく、各開放時間の差を遊技者が気付き難い。これは、一般的に、基準となる時間に対して１／５以内の差を有する時間であれば、該差が基準の時間に比して極めて小さいことから、人間の感覚的に、基準の時間と見分け難いことに因る。特に、かかる大入賞口の基準開放時間は、通常、０．５〜１秒間に設定されることから、前記最大値と最小値との時間差が０．１〜０．２秒間であるため、該時間差を有する開放時間を、遊技者が正確に認識することは極めて難しい。こうしたことから、本構成では、異なる開放時間により大入賞口が開放されても、該開放時間に差異が生じていることを遊技者が気付き難い。これにより、遊技者自身の遊技中または他人の遊技中に、長い開放時間か短い開放時間かを遊技者が判断することは極めて難しく、該開放時間の長短で機台が選択されることを可及的に抑制できる。而して、開放時間の長い機台の稼働率が高くなるという偏りの発生を防止できる。
【００１０】
また、本構成は、開放時間（短時間開放態様）の変更によって、始動口への入球により開放される大入賞口への入球率を、調整することができる。こうした大入賞口の入球率を調整することで、遊技者の獲得可能な利益を調整できることから、上述した従来構成のように遊技釘の調整をすること無く、遊技機の有する機能の一つとして、前記開放時間の変更による利益調整を実施できる。したがって、本発明の構成によれば、遊技の公平性や健全性を保ちつつ、遊技店毎の自由な利益調整が可能である。
【００１１】
尚、可変入賞装置としては、可動片をソレノイドにより開閉作動させる構成が利用できる。この具体的な構成としては、可動片を大入賞口の閉鎖位置に付勢する付勢手段と、該可動片を閉鎖位置から開放位置へ位置変換作動させるソレノイドとを備えたものである。かかる可変入賞装置では、ソレノイドのＯＦＦ状態で可動片が前記閉鎖位置となり、該ソレノイドのＯＮ作動で開放位置となることから、上記した開放時間を、該ソレノイドのＯＮ作動時間に基づいて定めることにより、本発明の構成に適用できる。この構成では、機台の使用時間が長くなるにつれて、付勢手段の付勢力が低減する虞があり、これに伴って開放時間が変化することがあり得る。しかし、こうした付勢力の低減は、開放時間の長短に関わらず、各開放時間に等しく影響する。そのため、かかる可変入賞装置を備えた構成にあっても、本発明の作用効果が長期に亘って発揮され得る。
【００１２】
本発明の第二発明は、遊技球を入球可能な第一始動口と、遊技球を入球可能な第二始動口と、大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、前記第一始動口への遊技球の入球を契機として、前記可変入賞装置の大入賞口を、所定の第一短時間開放態様に従って一回開放する単一開放作動と、前記第二始動口への遊技球の入球を契機として、前記可変入賞装置の大入賞口を、所定の第二短時間開放態様に従って複数回連続して開放する連続開放作動とを実行する大入賞口開放手段と、前記大入賞口を介して前記閉鎖作動領域内に流入した遊技球が前記特定領域に入球したことを契機として、前記可動片を所定の特別作動態様により開閉作動させる特別遊技を実行する特別遊技制御手段とを備えた弾球遊技機において、前記大入賞口開放手段は、相互に異なる一の開放時間により夫々構成された複数の前記第一短時間開放態様を備え、管理者の操作によっていずれか一の第一短時間開放態様を有効としてセットするものであって、各第一短時間開放態様を夫々構成する開放時間が、その最大値と最小値との時間差を基準開放時間の１／５以内とするように、夫々定められている第一開放態様セット手段と、複数の開放時間により夫々構成されて、少なくとも一の開放時間が相互に異なる複数の前記第二短時間開放態様を備え、管理者の操作によっていずれか一の第二短時間開放態様を有効としてセットするものであって、各第二短時間開放態様を夫々構成する開放時間が、その最大値と最小値との時間差を基準開放時間の１／５以内とするように、夫々定められている第二開放態様セット手段との少なくとも一方を備えてなるものであることを特徴とする弾球遊技機である。
【００１３】
ここで、第二開放態様セット手段の各第二短時間開放態様は、夫々の少なくとも一個の開放時間が相互に異なっていれば良く、夫々の全ての開放時間が相互に異なるものであっても良い。換言すれば、相互に異なる開放時間を備えていれば、同じ開放時間を備えていても良いし、同じ開放時間を備えていなくても良い。
また、「基準開放時間」および「管理者」は、上述した第一発明と同義である。
【００１４】
かかる構成にあっては、上述した第一発明と同様に、開放時間（第一短時間開放態様または第二短時間開放態様）の変更により、大入賞口への入球率を変えることができるから、機台の有する遊技の特性を効果的に変化させ得る。したがって、前記開放時間（第一短時間開放態様または第二短時間開放態様）を変更することで、同一機台であっても、異なる遊技性を遊技者に提供できる。
さらに、本構成にあっても、各開放時間の時間差が基準開放時間に比して小さく、該開放時間に差異が生じていることを遊技者が気付き難いことから、該開放時間の長短で機台が選択されることを可及的に抑制でき、開放時間の長い機台のみで稼働率が高くなるという偏りの発生を防止できる。
【００１５】
また、本構成にあっても、開放時間（第一短時間開放態様または第二短時間開放態様）に変更によって、始動口への入球により開放される大入賞口への入球率を、調整することができる。このように第二発明の構成にあっても、上述した第一発明と同様に、遊技機の有する機能の一として、前記開放時間の変更による利益調整を実施できるため、遊技の公平性や健全性を保ちつつ、遊技店毎の自由な利益調整が可能である。
さらに、上述した第一発明と同様に、可変入賞装置が付勢手段とソレノイドとにより可動片を開閉する構成としても、本発明の作用効果が長期に亘って発揮され得る。
【００１６】
上述した第二発明の弾球遊技機にあって、第二短時間開放態様が、複数の開放時間と各開放時間間のインターバル時間とにより構成されたものであって、第二開放態様セット手段の少なくとも一の第二短時間開放態様は、他の第二短時間開放態様のインターバル時間と異なるインターバル時間を備えたものである構成が提案される。本構成が、本発明の第三発明である。
【００１７】
かかる構成にあっては、インターバル時間の異なる第二短時間開放態様がセットされることによって、該インターバル時間を介して実行される開放の開始タイミングを変えることができる。これにより、大入賞口への入球タイミングをずらすことができ、大入賞口への入球率に変化を生じさせ得る。したがって、本構成によれば、第二短時間開放態様を変更することで、一層異なる遊技性を遊技者に提供できる。
【００１８】
さらに、第二短時間開放態様の変更によって、前記のように大入賞口への入球率に変化を生じさせ得ることから、該入球率の調整という作用効果への寄与も期待できる。
【００１９】
尚、他と異なるインターバル時間としては、他のインターバル時間との時間差が、該インターバル時間の基準時間または基準開放時間の１／５以内とすることが好適である。かかる構成によれば、インターバル時間の変更に遊技者が気付き難いため、該インターバル時間の変更によって開放時間の変更に遊技者が気付いてしまうことを、可及的に防止できる。
【００２０】
本発明の第四発明は、遊技球を入球可能な始動口と、大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、特定の前記始動口への遊技球の入球を契機として、前記可変入賞装置の大入賞口を、所定の短時間開放態様に従って複数回連続して開放する連続開放作動を実行する大入賞口開放手段と、前記大入賞口を介して前記閉鎖作動領域内に流入した遊技球が前記特定領域に入球したことを契機として、前記可動片を所定の特別作動態様により開閉作動させる特別遊技を実行する特別遊技制御手段とを備えた弾球遊技機において、前記大入賞口開放手段は、複数の開放時間により夫々構成されて、少なくとも一の開放時間が相互に異なる複数の前記短時間開放態様を備え、管理者の操作によっていずれか一の短時間開放態様を有効としてセットする開放態様セット手段を備えてなり、前記各短時間開放態様は、夫々を構成する複数の開放時間を合計した総開放時間が略同一となるように、各開放時間が夫々定められたものであることを特徴とする弾球遊技機である。
【００２１】
ここで、複数の短時間開放態様は、夫々の少なくとも一個の開放時間が相互に異なっていれば良く、夫々の全ての開放時間が相互に異なるものであっても良い。換言すれば、相互に異なる開放時間を備えていれば、同じ開放時間を備えていても良いし、同じ開放時間を備えていなくても良い。
また、「基準開放時間」および「管理者」は、上述した第一発明と同義である。
【００２２】
かかる構成にあっては、相互に異なる開放時間を夫々備えた複数の短時間開放態様のなかから、管理者がいずれか一の短時間開放態様を選択してセットできるようにしたものであり、短時間開放態様の変更によって、開放時間の異なる連続開放作動が実行される。このように、セットされた短時間開放態様に応じて異なる連続開放作動が実行されることにより、遊技性に、従来に無い幅を持たせることができるため、短時間開放態様の変更によって、同一機台であっても、異なる遊技性を遊技者に提供できる。
ここで、いずれの短時間開放態様であっても、一回の連続開放作動による大入賞口の総開放時間は略同一であることから、理論上、大入賞口への入球率は、各短時間開放態様で略等しい。このように各短時間開放態様で利益差をほとんど生じないことから、開放時間の差を遊技者が認識できたとしても、遊技者による機台の選択にほとんど影響しない。
尚、こうした利益差による機台選択が生じなくとも、遊技者が、連続開放作動の開放パターンを確認し、自らの好みによって選択することはあり得る。すなわち、連続開放作動の開放パターンは、遊技者が機台を選択するための一情報としての役割を有し、機台の選択に従来に無い面白みを生じさせ得る。
【００２３】
また、第四発明にあって、各短時間開放態様を夫々構成する開放時間が、その最大値と最小値との時間差を基準開放時間の１／５以内とするように、夫々定められた構成とすることもできる。
かかる構成によれば、遊技者が、短時間開放態様に応じた連続開放作動の相違に気付き難く、いずれの短時間開放態様がセットされているか見分けることが難しい。ここで、上述したように第四発明の構成は、各短時間開放態様の総開放時間が略同一であることから、理論上、大入賞口への入球率は変わらない。しかし、現実的には、連続開放作動における開放順序によって、該入球率に僅かな差を生ずる。具体的には、開放順序の後半で長い開放時間の開放を行う場合に、入球率が僅かに高くなる傾向にある。こうしたことから、各短時間開放態様を、前記開放順序の後半の開放時間が相互に異なる構成とすることによって、各短時間開放態様毎で大入賞口への入球率を変えることができ、利益調整が可能である。
このように利益調整を可能とした場合には、遊技者が開放時間の差を認識できると、有利な機台を容易に選択できることになるため、開放時間の最大値と最小値との時間差を基準開放時間の１／５以内として、該開放時間の時間差を遊技者に気付かれ難くすることによって、機台選択の公平性が保たれ得る。
【００２４】
また、第四発明にあっては、大入賞口開放手段が、特定の始動口への入球を契機として連続開放作動を実行する構成としたものであるが、当然ながら、所定条件の成立（例えば、他の始動口への入球）を契機として、大入賞口を一回開放する単一開放作動を実行するものであっても良い。すなわち、大入賞口開放手段は、連続開放作動のみを実行する構成であっても良いし、連続開放作動と単一開放作動とを実行する構成であっても良い。そして、単一開放作動を行う構成では、該単一開放作動の開放時間を一定時間としたものであっても良いし、該単一開放作動の開放時間を変更可能としたものであっても良い。後者の場合には、相互に異なる開放時間を夫々備えた複数の開放態様を備え、管理者の操作によっていずれか一の開放態様を有効としてセットされるものが好適である。
【００２５】
本発明の第五発明は、遊技球を入球可能な始動口と、大入賞口を開閉する可動片を備えると共に、開放された該大入賞口を介して外部と連通され且つ該大入賞口を閉じた状態で閉鎖される閉鎖作動領域内に、該大入賞口から流入した遊技球が入球可能な特定領域を備えた可変入賞装置と、特定の前記始動口への遊技球の入球を契機として、前記可変入賞装置の大入賞口を、所定の短時間開放態様に従って複数回連続して開放する連続開放作動を実行する大入賞口開放手段と、前記大入賞口を介して前記閉鎖作動領域内に流入した遊技球が前記特定領域に入球したことを契機として、前記可動片を所定の特別作動態様により開閉作動させる特別遊技を実行する特別遊技制御手段とを備えた弾球遊技機において、前記大入賞口開放手段は、複数の開放時間と各開放時間の間のインターバル時間とにより構成されて、少なくとも一の開放時間が相互に異なる複数の前記短時間開放態様を備え、管理者の操作によっていずれか一の短時間開放態様を有効としてセットする開放態様セット手段を備えてなり、前記各短時間開放態様は、夫々を構成する複数の開放時間とインターバル時間とを合計した総作動時間が略同一となるように、各開放時間とインターバル時間とが夫々定められたものであることを特徴とする弾球遊技機である。
【００２６】
ここで、「短時間開放態様」は、上述した第四発明と同義であり、「基準開放時間」および「管理者」は、上述した第一発明と同義である。
【００２７】
かかる構成にあっては、相互に異なる開放時間を夫々備えた複数の短時間開放態様のなかから、管理者がいずれか一の短時間開放態様を選択してセットできるようにしたものであり、短時間開放態様の変更によって、開放時間の異なる連続開放作動が実行される。このように、セットされた短時間開放態様に応じて異なる連続開放作動が実行されることにより、遊技性に、従来に無い幅を持たせることができるため、短時間開放態様の変更によって、同一機台であっても、異なる遊技性を遊技者に提供できる。
ここで、各短時間開放態様は、一回の連続開放作動にかかる総作動時間が略同一であれば、各開放時間の合計時間（第四発明の総開放時間に相当）が同じものを有していても良いし、該合計時間が全て異なっていても良い。さらに、各短時間開放態様は、インターバル時間が同じものを有していても良いし、全てのインターバル時間が異なっていても良い。このように複数の短時間開放態様が、開放時間とインターバル時間とを多様に組み合わせて構成され得ることから、短時間開放態様の変更によって、従来に無い斬新な変化を生ずる遊技性を、遊技者に夫々提供できる。
尚、前記合計時間の異なる短時間開放態様を備えた構成では、上述した第一発明と同様に、遊技機の有する機能の一として、前記開放時間の変更による利益調整を実施でき、遊技店毎の自由な利益調整が可能である。
【００２８】
また、第五発明にあって、各短時間開放態様を夫々構成する開放時間が、その最大値と最小値との時間差を基準開放時間の１／５以内とするように、夫々定められた構成とすることもできる。
かかる構成によれば、遊技者が、短時間開放態様に応じた連続開放作動の相違に気付き難く、いずれの短時間開放態様がセットされているか見分けることが難しい。ここで、各短時間開放態様が、夫々の開放時間の合計時間を同一とした構成の場合には、上述した第四発明と同様に、理論上、大入賞口への入球率は変わらないが、現実的には、連続開放作動における開放順序によって、該入球率に僅かな差を生ずることから、利益調整も可能である。一方、各短時間開放態様が、夫々の開放時間の合計時間を相互に異なるようにした構成の場合には、上述した第一発明と同様に、短時間開放態様の変更に応じて大入賞口への入球率を変えることができ、利益調整できる。そして、各開放時間の時間差が基準開放時間に比して小さく、該開放時間に差異が生じていることを遊技者が気付き難いことから、該開放時間の長短で機台が選択されることを防止できる。そのため、かかる構成によれば、遊技の公平性や健全性を保ちつつ、遊技店毎の自由な利益調整が可能である。
【００２９】
また、第五発明にあっても、上述した第四発明と同様に、所定条件の成立（例えば、他の始動口への入球）を契機として、大入賞口を一回開放する単一開放作動を実行するものであっても良い。そして、単一開放作動を行う構成では、該単一開放作動の開放時間を一定時間としたものであっても良いし、該単一開放作動の開放時間を変更可能としたものであっても良い。後者の場合には、相互に異なる開放時間を夫々備えた複数の開放態様を備え、管理者の操作によっていずれか一の開放態様を有効としてセットされるものが好適である。
【図面の簡単な説明】
【００３０】
【図１】本発明にかかるパチンコ機１の正面図である。
【図２】遊技盤２の正面図である。
【図３】可変入賞装置５の正面図であり、（Ａ）は大入賞口１４の閉鎖状態を、（Ｂ）は大入賞口１４の開放状態を示す。
【図４】パチンコ機１の裏面図である。
【図５】実施例１の電気的構成を示すブロック図である。
【図６】実施例１の、第一短時間開放態様と第二短時間開放態様との仕様を説明する図表である。
【図７】実施例１の始動開放処理を示すフローチャートである。
【図８】実施例２の、第一短時間開放態様と第二短時間開放態様との仕様を説明する図表である。
【図９】実施例３の第二短時間開放態様の仕様を説明する図表である。
【図１０】実施例３の始動開放処理を示すフローチャートである。
【図１１】実施例４の第二短時間開放態様の仕様を説明する図表である。
【図１２】実施例４の別例の第二短時間開放態様の仕様を説明する図表である。
【発明を実施するための形態】
【００３１】
本発明の実施形態について、図面を用いて説明する。尚、実施例のパチンコ機１が、本発明にかかる弾球遊技機に相当する。
【実施例１】
【００３２】
パチンコ機１は、図１に示すように、縦長の固定外郭保持枠をなす外枠５１によって構成の各部を保持する構造である。外枠５１には、その左側上下に設けられたヒンジ５３を介して、内枠７０（図４参照）が該外枠５１に対して開閉可能に取り付けられ、さらに、該内枠７０の前面に、前枠（ガラス枠）５２が該内枠７０に対して開放可能に取り付けられている。そして、前枠５２には、板ガラス６１が脱着可能に設けられている。また、板ガラス６１の奥側（後側）には、内枠に取り付けられた遊技盤２（図２）が配設されている。
【００３３】
前枠５２には、その上部左右に、スピーカ６６が配設されており、該スピーカ６６から発せられる遊技音や警報音によって、遊技の趣向性を向上させたり、遊技者に注意喚起する。また、前枠５２には、遊技状態に応じて発光する枠側装飾ランプ６５が複数配設されており、該発光によって遊技の趣向性を向上させる。さらに、前枠５２の下部には、上皿５５と下皿６３とが一体的に設けられており、該下皿６３の右方に発射ハンドル６４が配設されている。この発射ハンドル６４は、遊技者によって時計回りに回動操作されることで、図示しない発射装置を可動させて、上皿５５から供給される遊技球を遊技盤２の遊技領域３に向かって発射する。
【００３４】
上皿５５には、賞球や貸球が払い出される。また、下皿６３は、上皿５５から溢れた賞球を受ける構成で、該下皿６３内の遊技球を排出する球抜きレバー（図示せず）を備える。この球抜きレバーが遊技者により操作されることで、下皿６３に貯まった遊技球を別箱（ドル箱）に移すことができる。
【００３５】
本実施例のパチンコ機１は、所謂ＣＲ機であって、プリペイドカードの読み書きなどを行うプリペイドカードユニット（ＣＲユニット）５６が隣接されている。パチンコ機１には、貸出ボタン５７、精算ボタン５８、および残高表示装置５９を有するＣＲ精算表示装置９５（図５参照）が設けられている。また、上皿５５の中央部には、遊技者が操作可能な演出ボタン６７、ジョグダイヤル６８、および決定ボタン６９が設けられている。
【００３６】
図２は、パチンコ機１の遊技盤２の正面図である。遊技盤２には、ガイドレール３ａ，３ｂによって囲まれた略円形の遊技領域３が設けられ、該遊技領域３に、図示しない遊技釘が多数植設されている。遊技領域３の中央部には、内部に閉鎖作動領域６を備えた可変入賞装置５が配設されている。この可変入賞装置５の下方に、中央の第二始動口１２と、該第二始動口１２の左右側方の第一始動口１１，１１とが配設されている。尚、第二始動口１２の直上には、遊技球を通過可能なゲート１３が配設されている。また、可変入賞装置５の左右側方には、普通入賞口１７，１７が夫々配設されている。また、遊技領域３の最下流部には、アウト口１６が配設されている。
【００３７】
上記の可変入賞装置５は、図３に示すように、その上部の左右両側に大入賞口１４，１４を備え、各大入賞口１４，１４を夫々開閉する左右一対の可動片３１，３１が配設されている。可動片３１，３１は、大入賞口ソレノイド１４ｂ（図５参照）により開閉作動するものであり、大入賞口１４，１４を閉鎖する閉鎖位置（図３（Ａ））と、該大入賞口１４，１４を開放する開放位置（図３（Ｂ））とに位置変換作動する。詳述すると、可動片３１，３１は、図示しないバネにより前記閉鎖位置に付勢されており、前記大入賞口ソレノイド１４ｂのＯＦＦ状態で、該バネの付勢力に従って該閉鎖位置に保持される。一方、大入賞口ソレノイド１４ｂをＯＮ状態とすると、前記バネの付勢力に抗して開放位置へ位置変換される。可動片３１，３１は、大入賞口ソレノイド１４ｂのＯＮ作動により開放作動して、閉鎖位置から開放位置へ位置変換し、該大入賞口ソレノイド１４ｂのＯＦＦにより閉鎖作動して、開放位置から閉鎖位置へ位置変換する。すなわち、大入賞口１４，１４は、大入賞口ソレノイド１４ｂのＯＮ／ＯＦＦ制御により、開閉し、該大入賞口ソレノイド１４ｂをＯＮ作動する時間によって、該大入賞口１４，１４の開放時間が定まる。こうした可変入賞装置５は、可動片３１，３１の開放作動により開放された大入賞口１４，１４を介してのみ、内部の閉鎖作動領域６と外部（遊技領域３）とが連通し、該閉鎖作動領域６内に遊技球が流入可能となる。
【００３８】
可変入賞装置５の閉鎖作動領域６には、上下二段のステージ３２，３３が設けられており、大入賞口１４，１４から流入した遊技球が、上段ステージ３２を介して下段ステージ３３に送られる。上段ステージ３２には、その奥側の中央に、略釣り鐘形状の振分部材３５が配設されており、該振分部材３５下に、遊技球を流入可能な誘導口３７が開口形成されている。この振分部材３５は、その外周部に、遊技球を入球可能な開口部（図示せず）が形成されており、遊技球が該開口部を介してのみ誘導口３７へ流下できるようになっている。そして、振分部材３５は、振分用モータ３５ａ（図５参照）により回転駆動される。また、振分部材３５の左右両側方には、遊技球を入球可能な通過口３８，３８が開口形成されている。
こうした上段ステージ３２は、左右両側縁から中央へ向かって緩やかに下り傾斜し、かつ前側から奥方に向かって下り傾斜するように設けられており、大入賞口１４，１４から流入した遊技球が上段ステージ３２上を奥方へ転動し、前記の誘導口３７または通過口３８，３８のいずれに入球するようになっている。
【００３９】
一方、下段ステージ３３は、奥側から前方に向かって下り傾斜するように設けられており、その奥側に、中央の導出口４１と、左右の排出口４２，４２とが設けられている。そして、導出口４１の前には、該導出口４１から流出した遊技球を前方へ略まっすぐに誘導する誘導ガイド４３が配設されており、該誘導ガイド４３の直前方に、遊技球を通過可能な特定領域４５が設けられている。さらに、特定領域４５の左右両側には、遊技球を通過可能な一般領域４６，４６が設けられている。
こうした下段ステージ３３は、通常、導出口４１から流出した遊技球が、前記誘導ガイド４３により特定領域４５に流下する一方、排出口４２，４２から流出した遊技球が、一般領域４６，４６に流下する。尚、導出口４１から流出した遊技球は、１００％の確率で特定領域４５に流下するとは限らず、極めて希であるが、一般領域４６へ流下してしまうこともあり得る。逆に、排出口４２から流出した遊技球も、極めて希であるが、特定領域４５に流下することがあり得る。
【００４０】
上段ステージ３２の誘導口３７は、図示しない球通路を介して、下段ステージ３３の導出口４１に連通しており、該誘導口３７に流入した遊技球が、導出口４１から下段ステージ３３上に流出される。一方、左右の通過口３８，３８は、下段の排出口４２，４２と夫々連通しており、各通過口３８，３８に流入した遊技球が、排出口４２，４２から下段ステージ３３上に流出される。すなわち、大入賞口１４，１４から上段ステージ３２上に流入した遊技球は、誘導口３７に流下すれば、導出口４１から下段ステージ３３上に流出して特定領域４５に入り、また、左右の通過口３８，３８に流入すれば、排出口４２，４２から流出して一般領域４６，４６に入る。
【００４１】
さらに、可変入賞装置５の上部には、演出図柄表示装置２９のＬＣＤ画面が前方から視認可能に配設されている。この演出図柄表示装置２９では、様々な演出図柄が表示される。
【００４２】
図４は、パチンコ機１の裏面図である。パチンコ機１の裏側には、上記の遊技盤２を脱着可能に取り付けた内枠７０が外枠５１に収納されている。内枠７０には、上方から、球タンク７１、タンクレール７２、および払出装置７３が設けられている。この構成により、遊技盤２に設けられた上記した各入賞口等に遊技球の入球があると、球タンク７１からタンクレール７２を介して供給される遊技球が、賞球として、払出装置７３により上皿５５へ払い出される。また、上記したＣＲユニット５６の貸出ボタン５７および精算ボタン５８が操作されると、払出装置７３によって、貸球が払い出される。
【００４３】
また、パチンコ機１の裏側には、主制御装置８０、払出制御装置８１、演出図柄制御装置８２、サブ統合制御装置８３、発射制御装置８４、電源基板８５が配設されている。主制御装置８０、演出図柄制御装置８２、およびサブ統合制御装置８３は、遊技盤２に設けられており、払出制御装置８１、発射制御装置８４、および電源基板８５は、内枠７０に設けられている。尚、図４では、発射制御装置８４が描かれていないが、払出制御装置８１の下に設けられている。また、球タンク７１の右側には、外部接続端子７８が設けられており、該外部接続端子７８により、遊技状態や遊技結果を示す信号がホールコンピュータ８７に送られる（図５参照）。尚、従来は、ホールコンピュータ８７へ信号を送信するための外部接続端子７８には、盤用（遊技盤側から出力される信号をホールコンピュータへ出力するための端子）と枠側（前枠５２、内枠７０、外枠５１）から出力される信号をホールコンピュータ８７に出力するための端子）の二種類を用いているが、本実施例では、一の外部接続端子７８を介してホールコンピュータ８７へ遊技状態や遊技結果を示す信号を送信している。
【００４４】
図５は、パチンコ機１の電気配線を示すブロック図である。尚、この図５には、煩雑になる電源の供給系統に関して記載していないが、電源が必要な制御装置もしくはアクチュエータ類には、電源装置（図示せず）から直接的または間接的に電源供給される構成となっている。
【００４５】
パチンコ機１の電気的構成は、主制御装置８０を中心として、払出制御装置８１、演出図柄制御装置８２、およびサブ統合制御装置８３を配設した構成である。これら主制御装置８０、払出制御装置８１、演出図柄制御装置８２、およびサブ統合制御装置８３は、いずれもＣＰＵ、ＲＯＭ、ＲＡＭ、入力ポート、および出力ポートなどを備え、各ＣＰＵが、２ｍｓ周期の割込信号により各ＲＯＭに搭載されたプログラムを開始し、各種制御を実行する。尚、発射制御装置８４は、ＣＰＵ、ＲＯＭ、およびＲＡＭを備えていないが、これに限らず、ＣＰＵ、ＲＯＭ、およびＲＡＭを備えた構成であってもよい。
【００４６】
主制御装置８０には、遊技盤中継端子板７４を介して、第一始動口１１に入球した遊技球を検出する第一始動口スイッチ１１ａ、第二始動口１２に入球した遊技球を検出する第二始動口スイッチ１２ａ、各普通入賞口１７に入球した遊技球を検出する普通入賞口スイッチ１７ａ、大入賞口１４，１４に入球した遊技球を検出する大入賞口スイッチ１４ａ、上記した可変入賞装置５に設けられた特定領域４５を通過した遊技球を検出する特定領域スイッチ４５ａ、一般領域４６に入球した遊技球を検出する一般領域スイッチ４６ａ等からの検出信号が入力される。ここで、大入賞口スイッチ１４ａは、大入賞口１４，１４から入球した遊技球を後述の上段ステージ３２へ送り出す入球口（図示せず）に、夫々配設されている。
【００４７】
主制御装置８０は、そのＲＯＭに搭載されたプログラムに従って動作して、上記の検出信号等に基づいて遊技の進行に関わる各種のコマンドを生成し、該コマンドを払出制御装置８１、演出図柄制御装置８２、およびサブ統合制御装置８３へ出力する。さらに、主制御装置８０には、遊技盤中継端子板７４を介して、大入賞口ソレノイド１４ｂおよび上記の振分用モータ３５ａも接続されている。そして、主制御装置８０は、大入賞口ソレノイド１４ｂを作動制御することにより、可動片３１，３１を開閉作動させて、大入賞口１４，１４の開閉を制御する。また、主制御装置８０からの出力信号は、図柄変動や大当り等の管理用の信号が外部接続端子７８に出力されてホールコンピュータに送られる。
【００４８】
払出制御装置８１は、主制御装置８０と双方向通信が可能に構成されており、主制御装置８０から送信されるコマンドに応じて、払出装置７３の払出モータ９０を駆動させて賞球を払い出す。本実施例では、賞球として払い出される遊技球を計数するための払出スイッチ９１の検出信号が、主制御装置８０と払出制御装置８１とに入力され、両者で賞球の計数を行う構成である。
【００４９】
さらに、払出制御装置８１には、満杯スイッチ９２および球切れスイッチ９３からの信号が入力される。満杯スイッチ９２は、下皿６３が満杯であることを検出するものであり、この検出に伴って信号を払出制御装置８１に出力する。球切れスイッチ９３は、球タンク７１で遊技球の貯留量が少ないこと又は貯留量が無いことを検出するものであり、この検出に伴って信号を払出制御装置８１に出力する。払出制御装置８１は、これら満杯スイッチ９２および球切れスイッチ９３から信号を入力すると、払出モータ９０を駆動停止させて、賞球の払出作動を停止させる。尚、満杯スイッチ９２および球切れスイッチ９３は、前記検出した状態が解消されるまで信号を出力し続ける構成になっており、払出制御装置８１は、該信号の入力停止によって、払出モータ９０の駆動を再開する。
【００５０】
払出制御装置８１は、ＣＲユニット端子板７６を介してＣＲユニット５６と交信可能であり、貸出コマンドに応じて払出モータ９０を駆動させて貸球を払い出す。ＣＲユニット端子板７６は、精算表示装置９５とも双方向通信可能接続されており、精算表示装置９５に設けられた球貸スイッチと精算スイッチとからの信号が入力される。球貸スイッチは、貸出ボタン５７の操作を検出して信号を出力するものであり、精算スイッチは、精算ボタン５８の操作を検出して信号を出力するものである。また、払出制御装置８１は、発射制御装置８４にも接続されており、所定契機で該発射制御装置８４へ発射停止コマンドを送信する。
【００５１】
発射制御装置８４は、発射モータ９７を制御して遊技球を遊技領域３に発射させるものである。この発射制御装置８４には、上記した払出制御装置８１の他に、発射ハンドル６４からの回動量信号、タッチスイッチ９８からのタッチ信号、発射停止スイッチ９９からの発射停止信号が入力される。回動量信号は、遊技者が発射ハンドル６４を回動操作することで出力され、タッチ信号は、遊技者が発射ハンドル６４を触ることで出力され、発射停止信号は、遊技者が発射停止スイッチ９９を押すことで出力される。尚、発射制御装置８４は、タッチ信号を入力していなければ、遊技球を発射しないように制御すると共に、発射停止信号が入力されているときにも、発射ハンドル６４の操作に関わらず、遊技球を発射しないように制御している。
【００５２】
サブ統合制御装置８３は、主制御装置８０から送信されたデータおよびコマンドを受信し、これらを演出表示制御用、音制御用およびランプ制御用のデータに振り分けて、演出表示制御用のコマンドなどを演出図柄制御装置８２へ送信し、音制御用およびランプ制御用のデータを自身に含まれている各制御部位（音声制御装置およびランプ制御装置しての機能部品）に分配する。そして、音声制御装置としての機能部は、音声制御用のデータに基づいて音ＬＳＩを作動させることによって、スピーカ６６から音声を出力制御し、ランプ制御装置としての機能部は、ランプ制御用のデータに基づいてランプドライバを作動させることによって、各種ＬＥＤやランプ６５を発光制御する。
【００５３】
さらに、サブ統合制御装置８３には、演出ボタン６７、ジョグダイヤル６８、および決定ボタン６９等の操作を夫々検出するスイッチが接続されており、各スイッチが遊技者による操作を検出すると、その信号が入力される。
【００５４】
演出図柄制御装置８２は、サブ統合制御装置８３から送信されたデータおよびコマンド（主制御装置８０から送信されたものと、サブ統合制御装置８３で主制御装置８０からの入力および演出ボタン等の入力に基づいて生成されたもの）に基づく制御を行い、演出画像を演出図柄表示装置２９の画面に表示させる。尚、サブ統合制御装置８３と主制御装置８０との間は、演出中継端子板を介して主制御装置８０からサブ統合制御装置８３への一方向通信回路として構成され、サブ統合制御装置８３と演出図柄制御装置８２との間は、サブ統合制御装置８３から演出図柄制御装置８２への一方向通信回路として構成されている。
【００５５】
電源基板８５は、外部のＡＣ電源から供給される電力により直流電圧を生成する直流電源として構成されており、該電源基板８５に設けられた電源スイッチの操作によってパチンコ機１を構成する各部位に電力を供給する。この電源基板８５は、コンデンサなどから構成されるバックアップ電源を備えており、ＡＣ電源から電力供給中に該バックアップ電源に電力を蓄える。これにより、停電時には、主制御装置８０等（例えば、主制御装置８０のＲＡＭ等）に電力供給し、ＡＣ電源からの電力供給が停止後も、一定期間にわたって主制御装置８０のＲＡＭ内のデータが保持される。尚、バックアップ電源は、主制御装置８０に設けても良いし、電源基板８５以外の他の装置に設けて良い。この場合には、電源基板は、ＡＣ電源から電力供給されている状態で、バックアップ電源を備えた装置へ供給信号を出力し、電力供給が停止した状態で、バックアップ電源を備えた装置へ停電信号を出力する。
【００５６】
次に、本実施例のパチンコ機１の動作について説明する。
遊技領域３に発射された遊技球が左右いずれかの第一始動口１１に入球すると、可変入賞装置５の可動片３１，３１を一回開放作動（以下、単一開放作動という）する一方、遊技球が中央の第二始動口１２に入球すると、該可動片３１，３１を二回連続して開放作動（以下、連続開放作動という）する。ここで、単一開放作動では、可動片３１，３１の開放作動を極短時間（例えば、０．５秒間）実行し、連続開放作動では、極短時間（例えば、０．５秒間）の開放作動を、インターバル時間（例えば、０．５秒間）を介して、２回連続して実行する。尚、本実施例の構成にあって、第一および第二始動口１１，１２への入球により実行する前記単一開放作動と連続開放作動とは、本発明の要部にかかることから、詳細は後述する。
【００５７】
こうした可動片３１，３１の開放作動により開放された大入賞口１４，１４に遊技球が流入すると、該遊技球を大入賞口スイッチ１４ａが検出し、該検出に伴って所定個数の賞球が払い出される。一方、大入賞口１４を介して閉鎖作動領域６内に流入した遊技球は、上段ステージ３２上を転動し、振分部材３５によって、誘導口３７または通過口３８に流入する。そして、誘導口３７に流入した場合には、遊技球が導出口４１から流出し、誘導ガイド４３によって、特定領域４５に流入する。一方、通過口３８に流入した場合には、遊技球が排出口４２から流出し、一般領域４６に流入する。
【００５８】
閉鎖作動領域６内に流入した遊技球が、特定領域４５に流入すると、大当りとなって、可動片３１，３１の開閉作動により発生する開閉ラウンドを繰り返す特別遊技を実行する。本実施例１にあって、特別遊技は、前記開閉ラウンドを、該開閉ラウンド中に閉鎖作動領域６内に流入した遊技球が特定領域４５を通過することを条件として、予め定めた継続制限回数（例えば、１５回）まで継続する。尚ここで、一回の開閉ラウンドは、可動片３１，３１の開放作動を３０秒間継続するか、大入賞口１４，１４に１０個遊技球が入球するかのいずれかによって、終了する（可動片３１，３１を閉鎖作動する）。そして、前記継続制限回数の最終ラウンド（１５ラウンド）を除く各開閉ラウンド中に、特定領域４５に遊技球が流入すると、次の開閉ラウンドを実行する条件（以下、継続条件という）が成立し、当該開閉ラウンドを終了後、所定時間（例えば、５秒間）をおいて、次の開閉ラウンドが開始される。すなわち、本実施例１にあって、特定領域４５は、特別遊技の非実行中で、大当りを発生する（特別遊技を実行する）ための権利発生領域としての機能と、特別遊技中で、開閉ラウンドを継続させるための継続領域としての機能との両方を有している。尚、前記した開閉ラウンドを繰り返し行う態様が、本発明の特別作動態様の一例に相当する。
【００５９】
本発明の要部について説明する。
本実施例１のパチンコ機１は、上記した単一開放作動と連続開放作動との夫々の開放時間を、遊技店の従業員（管理者）等により変更可能としたものである。単一開放作動は、一の開放時間により構成された第一短時間開放態様に従って実行される。そして、本実施例１では、この開放時間が相互に異なる複数の第一短時間開放態様を備え、いずれか一の第一短時間開放態様が前記従業員により選択される。一方、連続開放作動は、二回の開放作動における夫々の開放時間と該開放作動間のインターバル時間とにより構成された第二短時間開放態様に従って実行される。そして、本実施例１では、一回目の開放時間が相互に異なる複数の第二短時間開放態様（図６）を備え、いずれか一の第二短時間開放態様が前記従業員により選択される。
【００６０】
本実施例にあっては、六種類の第一短時間開放態様と第二短時間開放態様とを夫々備えており、後述する開放設定スイッチ１０１と設定変更ボタン１０２とを従業員の操作によって、一の第一短時間開放態様と第二短時間開放態様とをセットでき、セットされた第一短時間開放態様に従って単一開放作動が実行されると共に、セットされた第二短時間開放態様に従って連続開放作動が実行される。
【００６１】
こうした第一短時間開放態様と第二短時間開放態様とを夫々構成する各開放時間は、基準開放時間に基づいて設定されている。この基準開放時間は、開放時間の基準として設定された時間であり、当該パチンコ機１で生ずる規準の利益（ベース値）に基づいて設定された時間である。具体的には、機台の性能の一つとして定められたベース値を満足するために必要な時間であり、本実施例では０．５秒間に設定されている。ここで、ベース値は、発射数と賞球数とにより算出される戻り球数により示される値であり、一般的に、約１０時間で発射される６００００個の発射数に対して算出した戻り球数を、確定した値として用いられる。すなわち、この確定したベース値を満足するように、前記基準開放時間が設定される。
【００６２】
上記した六種類の第一短時間開放態様は、図６に示すように、開放時間を０．５〜０．５５秒間まで０．０１秒間隔の六段階で夫々設定している。そして、開放時間の最大値（０．５５秒間）と最小値（０．５秒間）との時間差が０．０５秒間となっており、該時間差が上記した基準開放時間（０．５秒間）の１／５以内である。こうした六段階の開放時間は、基準開放時間に比して前記時間差が極小さいこと及び基準開放時間自体が極短時間であることから、単一開放作動がいずれの第一短時間開放態様で実行されても、遊技者が該開放時間の変更に気付き難い。
ここで、最も短い０．５秒間の開放時間により構成される第一短時間開放態様がセットされた場合には、他の第一短時間開放態様に比して、単一開放作動で大入賞口１４，１４に最も遊技球が入球し難く、該大入賞口１４，１４への入球率が最も低くなる。一方、最も長い０．５５秒間の開放時間により構成される第一短時間開放態様がセットされた場合には、単一開放作動で大入賞口１４，１４に最も遊技球が入球し易く、該大入賞口１４，１４への入球率が最も高くなる。このように六段階の開放時間を夫々設定したことにより、セットされた第一短時間開放態様に応じて、単一開放作動における大入賞口１４，１４への入球率を変更できる。
【００６３】
上記した六種類の第二短時間開放態様は、図６に示すように、一回目の開放時間を０．５〜０．５５秒間まで０．０１秒間隔の六段階で夫々設定し、インターバル時間を０．５秒間とし且つ二回目の開放時間を０．５秒間としている。すなわち、本実施例の各第二短時間開放態様は、一回目の開放時間が相互に異なるのみで、インターバル時間と二回目の開放時間とが夫々同じである。そして、各第二短時間開放態様の一回目の開放時間は、その最大値（０．５５秒間）と最小値（０．５秒間）との時間差が０．０５秒間となっており、該時間差が上記した基準開放時間（０．５秒間）の１／５以内である。こうした六段階に設定した一回目の開放時間は、上述した第一短時間開放態様の開放時間と同様、基準開放時間（および二回目の開放時間）に比して前記時間差が極小さいこと及び基準開放時間自体が極短時間であることから、連続開放作動がいずれの第二短時間開放態様で実行されても、遊技者が該開放時間の変更に気付き難い。
ここで、最も短い０．５秒間の一回目の開放時間を有する第二短時間開放態様がセットされた場合には、他の第二短時間開放態様に比して、連続開放作動の一回目の開放作動で大入賞口１４，１４に最も遊技球が入球し難く、該大入賞口１４，１４への入球率が最も低くなる。そのため、二回目の開放作動における大入賞口１４，１４への入球率が他の第二短時間開放態様と同じであっても、連続開放作動における該入球率は最も低くなる。一方、最も長い０．５５秒間の一回目の開放時間を有する第二短時間開放態様がセットされた場合には、連続開放作動の一回目の開放作動で大入賞口１４，１４に最も遊技球が入球し易く、該連続開放作動における該大入賞口１４，１４への入球率が最も高くなる。このように一回目の開放時間を六段階に夫々設定したことにより、セットされた第二短時間開放態様に応じて、連続開放作動における大入賞口１４，１４への入球率を変更できる。
【００６４】
本実施例では、図６に示すように、上記した第一短時間開放態様と第二短時間開放態様とを一つずつ組み合わせて六組として、各組合わせが、設定値１〜６に夫々割り当てられている。具体的には、設定値１には、開放時間の最も短い第一短時間開放態様と、一回目の開放時間の最も短い第二短時間開放態様との組合わせが、割り当てられており、設定値２には、次に短い開放時間の第一短時間開放態様と、一回目の開放時間が次に短い第二短時間開放態様との組合せが、割り当てられている。設定値３〜６も同様に、開放時間の次に短い順に、第一短時間開放態様と第二短時間開放態様との同士の組合せが、割り当てられている。そのため、設定値１の組合わせで、単一開放作動と連続開放作動とにおける大入賞口１４，１４への入球率が最も低く、設定値２の組合わせで、該入球率が次に低い。そして、設定値６の組合せで、前記入球率が最も高くなる。
【００６５】
また、本実施例の主制御装置８０には、図４に示すように、開放設定スイッチ１０１と設定変更ボタン１０２が操作可能な位置に設けられている。これら開放設定スイッチ１０１と設定変更ボタン１０２とは、設定値１〜６のいずれかを選択してセットするためのものであり、遊技店の従業員（管理者）により操作される。そして、設定値１〜６のいずれか一の設定値がセットされることで、セットした設定値に割り当てられた第一短時間開放態様と第二短時間開放態様とが有効とされる。
【００６６】
上記した開放設定スイッチ１０１と設定変更ボタン１０２とによる設定値１〜６のセット方法を以下に説明する。
従業員が所定の鍵を開放設定スイッチ１０１に挿入して所定方向（例えば、右方向）に回転させ、この回転させた状態で電源を入れることにより、上記の設定値の変更を行うことができる状態となる。この状態で、従業員が設定変更ボタン１０２を押圧操作することで、設定値１〜６のいずれかを選択できる。詳述すると、設定変更ボタン１０２を押圧操作する毎に、図示しない設定用表示装置に「１」〜「６」の数値が順番に表示される。そして、所望の数値を前記設定用表示装置に表示することで、当該数値に対応する設定値１〜６のいずれかが選択される。こうして選択した状態で、開放設定スイッチ１０１に挿入した鍵を回転させて初期位置に戻す操作を行うことにより、選択した設定値が確定した状態となり、当該設定値に割り当てられた第一短時間開放態様と第二短時間開放態様とが有効とされてセットされる。こうした操作により、遊技店の従業員が、各パチンコ機１毎に、設定値１〜６のいずれかをセットできる。通常、この操作は、遊技店の閉店後から開店前までの間に行われ、開店中は、セットされた第一短時間開放態様と第二短時間開放態様とが有効とされて、上記した単一開放作動と連続開放作動とが実行される。
尚、本実施例では、開放設定スイッチ１０１と設定変更ボタン１０２との操作により、設定値を選択してセットする構成としたが、これに限定されるものでなく、他の操作手段を適用することも可能である。例えば、専用のボタンや摘まみを操作することで、設定値の選択とセットとを実行できるものであっても良い。また、本実施例では、設定値１〜６を前記設定用表示装置で表示したが、これに限らず、他の表示装置で表示するようにしても良い。又は、音声により設定値を報知したり、所定のＬＥＤの点灯態様によって設定値を報知するようにしても良い。
【００６７】
上記した単一開放作動と連続開放作動とは、開放設定スイッチ１０１と設定変更ボタン１０２とによりセットされた第一短時間開放態様と第二短時間開放態様とに夫々従って実行される。すなわち、上述したように遊技中に第一始動口１１へ遊技球が入球すると、大入賞口ソレノイド１４ｂを、第一短時間開放態様の開放時間だけＯＮ作動する。これにより、セットされた第一短時間開放態様の開放時間による単一開放作動が実行される。また、第二始動口１２へ遊技球が入球すると、大入賞口ソレノイド１４ｂを、第二短時間開放態様の開放時間とインターバル時間とに従って、ＯＮ／ＯＦＦ作動させる。詳述すると、第二短時間開放態様の示す一回目の開放時間だけ大入賞口ソレノイド１４ｂをＯＮ作動し、インターバル時間だけＯＦＦした後に、再び二回目の開放時間だけ大入賞口ソレノイド１４ｂをＯＮ作動する。これにより、セットされた第二短時間開放態様による連続開放作動が実行される。
【００６８】
次に、こうした単一開放作動と連続開放作動とを作動制御する始動開放処理について説明する。この始動開放処理は、主制御装置８０で実行されるプログラム処理である。尚、主制御装置８０では、始動開放処理の他に、メインルーチンや特別遊技処理などを夫々実行するが、該始動開放処理以外の各処理は、一般的なパチンコ機と同様のものを適用できることから、説明を省略する。
【００６９】
図７に、始動開放処理のフローチャートを示す。この始動開放処理は、図示しないメインルーチンでコールされるサブルーチンの一つである。
【００７０】
始動開放処理では、Ｓ１００で、第一始動口１１に遊技球が入球したか否かを判定する。そして、肯定判定の場合には（Ｓ１００：Ｙｅｓ）、Ｓ１０５へ進み、否定判定の場合には（Ｓ１００：Ｎｏ）、Ｓ１２０へ進む。
Ｓ１０５では、開放設定スイッチ１０１と設定変更ボタン１０２とによりセットされた第一短時間開放態様を有効として、Ｓ１１０へ進む。
Ｓ１１０では、単一開放作動処理を実行する。単一開放作動処理は、有効とした第一短時間開放態様に従って単一開放作動を行う処理であり、当該第一短時間開放態様を構成する開放時間に従って大入賞口ソレノイド１４ｂをＯＮ作動して、可動片３１，３１を開放作動させる。これにより、大入賞口１４，１４を、当該開放時間だけ一回開放させる。ここで、例えば、上記の設定値１がセットされている場合には、０．５秒間の開放作動が一回行われ、また、設定値６がセットされている場合には、０．５５秒間の開放作動が一回行われる。
Ｓ１１０の処理後は、始動開放処理を終了する。
【００７１】
上記のＳ１００の否定判定から続くＳ１２０では、第二始動口１２に遊技球が入球したか否かを判定する。そして、肯定判定の場合には（Ｓ１２０：Ｙｅｓ）、Ｓ１２５へ進み、否定判定の場合には（Ｓ１２０：Ｎｏ）、始動開放処理を終了する。
Ｓ１２５では、開放設定スイッチ１０１と設定変更ボタン１０２とによりセットされた第二短時間開放態様を有効として、Ｓ１３０へ進む。
Ｓ１３０では、連続開放作動処理を実行する。連続開放作動処理は、有効とした第二短時間開放態様に従って連続開放作動を行う処理であり、当該第二短時間開放態様を構成する開放時間とインターバル時間とに従って大入賞口ソレノイド１４ｂを二回ＯＮ作動して、可動片３１，３１を二回連続状に開放作動させる。ここで、例えば、上記の設定値１がセットされている場合には、一回目の開放作動が０．５秒間行われ、その後に０．５秒間のインターバル時間をおいて、二回目の開放作動が０．５秒間行われる。また、設定値６がセットされている場合には、一回目の開放作動が０．５５秒間行われ、その後に０．５秒間のインターバル時間をおいて、二回目の開放作動が０．５秒間行われる。
Ｓ１３０の処理後は、始動開放処理を終了する。
【００７２】
上述した実施例１のパチンコ機１は、第一始動口１１への入球により実行する大入賞口１４，１４の単一開放作動における開放時間と、第二始動口１２への入球により実行する大入賞口１４，１４の連続開放作動における一回目の開放作動の開放時間とを、遊技店の従業員により変更可能としている。ここで、当然ながら、開放時間が長いほど、大入賞口１４，１４に遊技球が入球し易くなり、該大入賞口１４，１４への入球率が高くなる。そして、入球率が高いほど、特定領域４５に流入する可能性が高くなることから、該入球率に基づいて、単一開放作動と連続開放作動とでの夫々の出玉率（発射数に対する賞球数の割合）を推定できる。そのため、設定値１〜６のいずれかに適宜変更してセットすることにより、各機台毎に、出玉率を調整でき、利益調整することができる。
こうした構成によれば、従来のように遊技盤２に植設された遊技釘の調整を行うこと無く、設定値１〜６の変更（開放時間の変更）により利益調整することができる。そして、各設定値１〜６に夫々割り当てられた第一短時間開放態様と第二短時間開放態様とは、予め設定された開放時間により夫々構成されていることから、該設定値１〜６の変更による利益調整は、パチンコ機１の本来有する機能の範囲内で行われる。そのため、従来の遊技釘の調整では、該調整によりパチンコ機が本来有する性能を超えた調整が行われてしまうという問題が懸念されていたことに対して、本実施例の構成では、こうした問題を生じず、遊技の公平性と健全性とを保つことができる。
【００７３】
また、本実施例１では、上述したように設定値１〜６の変更により、単一開放作動と連続開放作動とによる大入賞口１４，１４への入球率を変えることで、特定領域４５に入球する可能性も変えることができる。そして、特定領域４５への入球は、遊技者に多大な利益を供与し得る特別遊技の実行契機であることから、前記入球率の変更は、総じて、機台の有する遊技の特性を効果的に変化させ得る。したがって、本構成によれば、前記設定値１〜６の変更により、同一機台であっても、異なる遊技性を遊技者に提供できる。
【００７４】
さらに、本実施例１では、設定値１〜６により変更される各第一短時間開放態様の開放時間が、その最大値と最小値との時間差を基準開放時間の１／５以内（０．１秒以内）とするように、夫々定めていることから、該開放時間が変更されても、遊技者が該変更に気付き難い。同様に、設定値１〜６により変更される各第二短時間開放態様における一回目の開放時間が、その最大値と最小値との時間差を基準開放時間（二回の開放時間）の１／５以内とするように、夫々定めていることから、該一回目の開放時間が変更されても、遊技者が該変更に気付き難い。こうしたことから、遊技者が、自身の遊技および他の遊技者の遊技により、入球率の高い設定値５や設定値６の機台を推定することが極めて困難である。そのため、設定値５，６をセットした機台で稼働率が高くなるという偏りを防止できる。
【００７５】
また、本実施例１は、上述したように、図示しないバネにより閉鎖位置に付勢された可動片３１，３１を、大入賞口ソレノイド１４ｂにより開放作動することにより、大入賞口１４，１４を開放するようにしたものである。かかる構成では、機台の使用時間が長期化するにつれて、前記バネの付勢力が低減することから、可動片３１，３１の開放作動を停止して閉鎖位置へ位置変換させる場合に、該バネの付勢力低減によって、該閉鎖位置への位置変換が遅れてしまうことで開放時間が長くなることもあり得る。しかし、こうしたバネの付勢力低減は、設定値１〜６に等しく影響することから、該設定値毎の開放時間の差を保つことができ、該開放時間を変えることにより利益調整するという上述した作用効果を長期に亘って適正に保つことができる。すなわち、本実施例の有する作用効果は、前記バネの付勢力低減によって、失われてしまうことが無い。
【００７６】
尚、本実施例１にあって、主制御装置８０で実行する始動開放処理、開放設定スイッチ１０１、および設定変更ボタン１０２が、第一発明および第二発明にかかる大入賞口開放手段の一例に相当する。そして、主制御装置８０、開放設定スイッチ１０１、および設定変更ボタン１０２が、第二発明にかかる第一開放態様セット手段および第二開放態様セット手段の一例に相当する。
また、主制御装置８０が、第一発明および第二発明にかかる特別遊技制御手段の一例に相当する。
また、第一始動口１１および第二始動口１２が、第一発明にかかる始動口の一例に相当する。ここで、第一始動口１１が、第二発明の第一始動口に相当し、第二始動口１２が、第二発明の第二始動口に相当する。
また、第一短時間開放態様および第二短時間開放態様が、第一発明にかかる短時間開放態様の一例に相当する。ここで、第一短時間開放態様が、第二発明の第一短時間開放態様に相当し、第二短時間開放態様が、第二発明の第二短時間開放態様に相当する。
【実施例２】
【００７７】
実施例２の構成は、設定値１〜６に夫々割り当てられた六種類の第二短時間開放態様が、上述した実施例１と異なるものである。具体的には、図８に示すように、第二短時間開放態様を構成する一回目の開放時間と二回目の開放時間とが、各第二短時間開放態様で互いに異なると共に、インターバル時間の異なる第二短時間開放態様も設定されている。尚、第二短時間開放態様は、上述した実施例１と同様に、二回の開放作動における夫々の開放時間と該開放作動間のインターバル時間とにより構成されてなる。そして、第二始動口１２への入球を契機として、前記第二短時間開放態様に従って連続開放作動が実行される。
【００７８】
実施例２は、設定値１〜６の各第二短時間開放態様（開放時間とインターバル時間）が異なる以外は上述の実施例１と同じであることから、該第二短時間開放態様以外の説明を省略する。尚、設定値１〜６の各第一短時間開放態様（開放時間）は、実施例１と同じである。
【００７９】
各第二短時間開放態様は、図８に示すように、一回目の開放時間と二回目の開放時間とが同じ時間であり、かつこれら開放時間が第二短時間開放態様毎で相互に異なる。ここで、各第二短時間開放態様の開放時間が、０．５〜０．５５秒間まで０．０１秒間隔の六段階で夫々設定されており、該開放時間の最大値と最小値との時間差が、実施例１と同様に、基準開放時間の１／５以内である。そして、最も短い開放時間により構成される第二短時間開放態様が、設定値１に割り当てられ、二番目に短い開放時間により構成される第二短時間開放態様が、設定値２に割り当てられる。このように開放時間の短い順（昇順）に、各第二短時間開放態様が設定値１〜６に夫々割り当てられている。
【００８０】
さらに、設定値１，２の各第二短時間開放態様は、０．５秒間のインターバル時間により構成され、設定値３，４の各第二短時間開放態様は、０．４５秒間のインターバル時間により構成され、設定値５，６の各第二短時間開放態様は、０．４秒間のインターバル時間により構成される。このように、本実施例２では、異なるインターバル時間を有する第二短時間開放態様もある。
【００８１】
このように第二短時間開放態様が、開放時間の短い順で設定値１〜６に夫々割り当てられていることから、開放設定スイッチ１０１と設定変更ボタン１０２とにより設定値１がセットされた場合には、連続開放作動における大入賞口１４，１４への入球率が最も低く、設定値２がセットされた場合には、連続開放作動における該入球率が次に低くなる。そして、設定値６がセットされた場合には、連続開放作動における前記入球率が最も高くなる。また、本実施例２にあっても、各第一短時間開放態様が、上述した実施例１と同様に、設定値１〜６に夫々割り当てられていることから、単一開放作動も、設定値１の場合の前記入球率が最も低く、設定値６の場合の該入球率が最も高い。
【００８２】
本実施例２のパチンコ機１は、大入賞口１４，１４の単一開放作動における開放時間と、連続開放作動における一回目および二回目の開放時間とを、遊技店の従業員により変更可能としていることから、上述した実施例１と同様に、設定値１〜６のいずかに適宜セットすることにより、各機台毎に利益調整することができる。特に、本実施例２では、連続開放作動における二回の開放作動の両方が、各設定値１〜６で夫々開放時間が異なることから、各設定値１〜６で、大入賞口１４，１４への入球率が、実施例１に比べて大きく変わる。そのため、利益調整を一層明確に実施することができる。さらに、本実施例２にあっても、遊技釘を調整することなく、前記利益調整できることから、遊技の公平性と健全性とを保つことができる。
【００８３】
また、本実施例２は、設定値１〜６の変更により、単一開放作動と連続開放作動とによる大入賞口１４，１４の入球率を変更でき、該入球率の変更に伴って、機台の有する遊技の特性を効果的に変えることができるため、実施例１と同様に、該設定値１〜６の変更に応じて異なる遊技性を遊技者に提供できる。さらに、本実施例２にあっては、連続開放作動の開放時間に加えてインターバル時間も変更可能としたから、該インターバル時間が変わることにより、二回目の開放作動の開始タイミングをずらすことができる。そのため、連続開放作動における二回目の開放時に、大入賞口１４，１４への入球率に変化を生じさせ得る。このようにインターバル時間を変えることで、異なる開放時間による遊技性の変化に加えて、さらなる変化を該遊技性に生じさせることができる。
【００８４】
さらに、実施例２にあっても、各第二短時間開放態様の開放時間が、最大値と最小値との時間差を基準開放時間の１／５以内とするように、夫々定めていることから、上述した実施例１と同様に、設定値の変更を遊技者が気付き難く、入球率の高い設定値５，６をセットした機台での稼働率が高くなるという偏りを防止できる。
【００８５】
また、可動片３１，３１の開閉作動は、大入賞口ソレノイド１４ｂの作動とバネの付勢力とにより実行するものであるから、使用期間が長期に亘っても利益調整できるという、上述した実施例１と同様の作用効果を奏し得る。さらにまた、本実施例２にあっても、実施例１と同様に、羽根物の有する特性を保ちつつ、上述した作用効果を奏する。
【００８６】
尚、本実施例２にあって、主制御装置８０で実行する始動開放処理、開放設定スイッチ１０１、および設定変更ボタン１０２が、第一〜第三発明にかかる大入賞口開放手段の一例に相当する。そして、主制御装置８０、開放設定スイッチ１０１、および設定変更ボタン１０２が、第二および第三発明にかかる第一開放態様セット手段および第二開放態様セット手段の一例に相当する。
また、主制御装置８０が、第一〜第三発明にかかる特別遊技制御手段の一例に相当する。
また、第一始動口１１および第二始動口１２が、第一発明にかかる始動口の一例に相当する。ここで、第一始動口１１が、第二および第三発明の第一始動口に相当し、第二始動口１２が、第二および第三発明の第二始動口に相当する。
また、第一短時間開放態様および第二短時間開放態様が、第一発明にかかる短時間開放態様の一例に相当する。ここで、第一短時間開放態様が、第二および第三発明の第一短時間開放態様に相当し、第二短時間開放態様が、第二および第三発明の第二短時間開放態様に相当する。
【実施例３】
【００８７】
実施例３の構成は、設定値１〜６の変更によって第二短時間開放態様のみを変えることができ、該設定値１〜６の各第二短時間開放態様に応じた連続開放作動を実行する。すなわち、実施例３では、設定値１〜６に、六種類の第二短時間開放態様が夫々割り当てられている。尚、単一開放作動は、上記の基準開放時間（該基準開放時間により構成された第一短時間開放態様に相当）に従って実行される。そのため、設定値１〜６の変更に関係なく、同じ単一開放作動が実行される。
【００８８】
第二短時間開放態様は、二回の開放作動における夫々の開放時間と該開放作動間のインターバル時間とにより構成され、各設定値１〜６に夫々割り当てられる六種類が定められている。本実施例３にあって、各第二短時間開放態様は、図９に示すように、夫々の二回の開放時間を合計した総開放時間が同一となるように、設定されてなる。具体例としては、各第二短時間開放態様の一回目の開放時間が、０．５〜０．４５秒間まで０．０１秒間隔で減少する六段階で夫々設定されると共に、二回目の開放時間が、０．５〜０．５５秒間まで０．０１秒間隔で増加する六段階で夫々設定されている。これにより、一回目の開放時間と二回目の開放時間との総開放時間が、各第二短時間開放態様で同一である。さらに、第二短時間開放態様における開放時間の最大値と最小値との時間差が、基準開放時間の１／５以内である。尚、各第二短時間開放態様は、インターバル時間が全て０．５秒間に定められている。
【００８９】
こうした第二短時間開放態様にあって、二回目の開放時間が最も短い第二短時間開放態様を、設定値１に割り当て、二回目の開放時間が次に短い第二短時間開放態様を、設定値２に割り当てている。このように、二回目の開放時間の短い順（昇順）で、各第二短時間開放態様が設定値１〜６に夫々割り当てられている。尚、各第二短時間開放態様は、夫々の総開放時間が同一であることから、設定値１〜６のいずれが設定された場合にも、連続開放作動における大入賞口１４，１４への入球率は、理論上等しくなる。
【００９０】
次に、実施例３における始動開放処理について説明する。この始動開放処理は、上述した実施例１と同様に、主制御装置８０で実行されるプログラム処理であり、図示しないメインルーチンでコールされるサブルーチンの一つである。
図１０に示すように、始動開放処理では、Ｓ２００で、第一始動口１１に遊技球が入球したか否かを判定する。そして、肯定判定の場合には（Ｓ２００：Ｙｅｓ）、Ｓ２１０へ進み、否定判定の場合には（Ｓ２００：Ｎｏ）、Ｓ２２０へ進む。
Ｓ２１０では、予め定められた基準開放時間（０．５秒間）に従って単一開放作動を行う単一開放作動処理を実行する。この単一開放作動処理では、基準開放時間に従って大入賞口ソレノイド１４ｂをＯＮ作動して、可動片３１，３１を開放作動させることにより、大入賞口１４，１４を、当該開放時間だけ一回開放させる。
Ｓ２１０の処理後は、始動開放処理を終了する。
【００９１】
上記のＳ２００の否定判定から続くＳ２２０では、第二始動口１２に遊技球が入球したか否かを判定する。そして、肯定判定の場合には（Ｓ２２０：Ｙｅｓ）、Ｓ２２５へ進み、否定判定の場合には（Ｓ２２０：Ｎｏ）、始動開放処理を終了する。
Ｓ２２５では、開放設定スイッチ１０１と設定変更ボタン１０２とによりセットされた第二短時間開放態様を有効として、Ｓ２３０へ進む。
Ｓ２３０では、有効とした第二短時間開放態様に従って連続開放作動を行う連続開放作動処理を実行する。この連続開放作動処理は、当該第二短時間開放態様を構成する二回の開放時間とインターバル時間とに従って大入賞口ソレノイド１４ｂを二回ＯＮ作動して、可動片３１，３１を二回連続状に開放作動させる。ここで、例えば、上記の設定値１がセットされている場合には、一回目の開放作動が０．５秒間行われ、その後に０．５秒間のインターバル時間をおいて、二回目の開放作動が０．５秒間行われる。また、設定値６がセットされている場合には、一回目の開放作動が０．４５秒間行われ、その後に０．５秒間のインターバル時間をおいて、二回目の開放作動が０．５５秒間行われる。
Ｓ２３０の処理後は、始動開放処理を終了する。
【００９２】
実施例３は、上記の総開放時間を同一とした各第二短時間開放態様のみを設定値１〜６に夫々割り当てて変更可能とした以外は上述した実施例１と同じであるから、該第二短時間開放態様および始動開放処理以外の説明を省略する。
【００９３】
上述した実施例３のパチンコ機１は、大入賞口１４，１４の連続開放作動における二回の開放時間を、従業員により変更可能としたものであり、該変更によって、開放時間の異なる連続開放作動を実行できる。ここで、設定値１〜６による各連続開放作動は、総開放時間が同じであっても、一回目の開放時間と二回目の開放時間との差によって、各開放作動における大入賞口１４，１４への入球タイミングが夫々で変わり易い。そして、この入球タイミングの変化に応じて、大入賞口１４，１４から入球した遊技球が振分部材３５に到達するタイミングが変わり、誘導口３７（特定領域４５）に入球する可能性も変わる。こうしたことから、本実施例３によれば、設定値１〜６の変更によって大入賞口１４，１４への入球タイミングに変化を生じさせることで、機台の有する遊技の特性に、従来に無い幅を持たせることができるため、同一機台であっても、異なる遊技性を遊技者に提供できる。
【００９４】
また、本実施例３は、上述したように、各連続開放作動における総開放時間が同一であることから、理論上、大入賞口１４，１４への入球率は各設定値１〜６で等しいが、現実（実機）では、二回目の開放時間が長くなるにつれて、入球率が高くなる傾向にある。すなわち、二回目の開放時間が最も短い設定値１から順に、前記入球率の向上がみられ、設定値６の場合に、該入球率が最も高くなる傾向にある。このように、各設定値１〜６で連続開放作動の総開放時間が同一であっても、該設定値１〜６の変更により、大入賞口１４，１４の入球率を変えることができることから、本実施例３にあっても、利益調整が可能である。
ここで、実施例３では、各第二短時間開放態様の開放時間が、最大値と最小値との時間差を基準開放時間の１／５以内とするように、夫々定めていることから、上述した実施例１，２と同様に、設定値の変更を遊技者が気付き難く、機台選択の公平性を保ち得る。
また、可動片３１，３１を開閉作動させる構成は、上述した実施例１，２と同じであるから、同様の作用効果を奏し得る。
【００９５】
尚、本実施例３にあって、主制御装置８０で実行する始動開放処理、開放設定スイッチ１０１、および設定変更ボタン１０２が、第一および第四発明にかかる大入賞口開放手段の一例に相当する。そして、主制御装置８０、開放設定スイッチ１０１、および設定変更ボタン１０２が、第一および第四発明にかかる開放態様セット手段の一例に相当する。
また、主制御装置８０が、第一および第四発明にかかる特別遊技制御手段の一例に相当する。
また、第一始動口１１および第二始動口１２が、第四発明にかかる始動口の一例に相当する。ここで、第二始動口１２が、第一発明の始動口に相当すると共に、第四発明にかかる特定の始動口に相当する。
また、第二短時間開放態様が、第一および第四発明にかかる短時間開放態様の一例に相当する。
【実施例４】
【００９６】
実施例４の構成は、設定値１〜６の変更によって第二短時間開放態様のみを変えることができるものであり、各第二短時間開放態様が、相互に異なる開放時間とインターバル時間とにより夫々構成されている。実施例４にあっても、上述した実施例３と同様に、単一開放作動は、上記の基準開放時間に従って実行される。
【００９７】
第二短時間開放態様は、二回の開放作動における夫々の開放時間と該開放作動間のインターバル時間とにより構成され、各設定値１〜６に夫々割り当てられた六種類が定められている。本実施例４の各第二短時間開放態様は、図１１に示すように、夫々の二回の開放時間とインターバル時間とを合計した総作動時間が同一となるように、設定されてなる。具体例としては、一回目の開放時間が０．４７〜０．５２秒間で六段階に夫々設定され、二回目の開放時間が０．４８〜０．５３秒間で六段階に夫々設定され、インターバル時間が０．５５〜０．４５秒間で六段階に夫々設定されている。そして、各第二短時間開放態様は、一回目の開放時間とインターバル時間と二回目の開放時間とを合計した総作動時間が、全て１．５秒間となっている。尚、本実施例４にあっても、第二短時間開放態様の開放時間は、その最大値と最小値との時間差が基準開放時間の１／５以内である。
【００９８】
こうした第二短時間開放態様にあって、二回目（および一回目）の開放時間が最も短い第二短時間開放態様を、設定値１に割り当て、該開放時間が次に短い第二短時間開放態様を、設定値２に割り当てている。このように、開放時間の短い順で、各第二短時間開放態様が設定値１〜６に夫々割り当てられている。
【００９９】
本実施例４では、各第二短時間開放態様で、上記の総作動時間が同一であるものの、夫々の一回目と二回目の開放時間を合計した総開放時間が相互に異なる。そのため、総開放時間の最も短い設定値１がセットされた場合には、連続開放作動における大入賞口１４，１４への入球率が最も低く、設定値２がセットされた場合には、連続開放作動における該入球率が次に低くなる。そして、総開放時間の最も長い設定値６がセットされた場合には、連続開放作動における前記入球率が最も高くなる。尚、単一開放作動は、基準開放時間に従って実行されるため、大入賞口１４，１４への入球率が同じである。
【０１００】
実施例４は、上記の総作動時間を同一とした各第二短時間開放態様のみを設定値１〜６に夫々割り当てて変更可能とした以外は上述した実施例３と同じであるから、該第二短時間開放態様以外の説明を省略する。
【０１０１】
上述した実施例４のパチンコ機１は、大入賞口１４，１４の連続開放作動における二回の開放時間とインターバル時間とを、遊技店の従業員により変更可能したものであり、該変更によって、開放時間およびインターバル時間が異なる連続開放作動を実行できる。そして、各設定値１〜６による連続開放作動では、一回目および二回目の開放時間が相互に異なることによって、夫々の総開放時間も相互に異なるから、該総開放時間が長いほど、大入賞口１４，１４への入球率が高くなる。そのため、本実施例４の構成にあっても、上述した実施例１，２と同様に、設定値１〜６のいずれかに適宜変更してセットすることにより、各機台毎に、出玉率を調整でき、利益調整することができる。したがって、本実施例４によれば、上述した実施例１，２と同様に、遊技釘を調整することなく、前記利益調整できることから、遊技の公平性と健全性とを保つことができる。
【０１０２】
また、本実施例４は、設定値１〜６の変更により、連続開放作動の総開放時間が変わるだけでなく、インターバル時間も変わることから、該連続開放作動における大入賞口１４，１４への入球タイミングも変えることができる。この入球タイミングの変更と上記した入球率の変更とによって、機台の有する遊技の特性を効果的に変えることができるから、設定値１〜６の変更に応じて、異なる遊技性を遊技者に提供できる。
【０１０３】
さらに、実施例４にあっても、各第二短時間開放態様の開放時間が、最大値と最小値との時間差を基準開放時間の１／５以内とするように、夫々定めていることから、上述した実施例１〜３と同様に、設定値の変更を遊技者が気付き難く、入球率の高い設定値５，６をセットした機台での稼働率が高くなるという偏りを防止できる。
また、可動片３１，３１を開閉作動させる構成は、上述した実施例１〜３と同じであるから、同様の作用効果を奏し得る。
【０１０４】
尚、本実施例４にあって、主制御装置８０で実行する始動開放処理、開放設定スイッチ１０１、および設定変更ボタン１０２が、第一および第五発明にかかる大入賞口開放手段の一例に相当する。そして、主制御装置８０、開放設定スイッチ１０１、および設定変更ボタン１０２が、第一および第五発明にかかる開放態様セット手段の一例に相当する。
また、主制御装置８０が、第一および第五発明にかかる特別遊技制御手段の一例に相当する。
また、第一始動口１１および第二始動口１２が、第五発明にかかる始動口の一例に相当する。ここで、第二始動口１２が、第一発明の始動口に相当すると共に、第五発明にかかる特定の始動口に相当する。
また、第二短時間開放態様が、第一および第五発明にかかる短時間開放態様の一例に相当する。
【０１０５】
本発明にあっては、上述した実施例１〜４に限定されるものではなく、上述の実施例以外の構成についても本発明の趣旨の範囲内で適宜変更して実施可能である。以下に、上述の実施例の別例について、例示する。
【０１０６】
上述した実施例１，２は、設定値１〜６の変更により、開放時間の異なる単一開放作動と連続開放作動とを実行する構成であるが、これに限らず、単一開放作動と連続開放作動との一方のみを、異なる開放時間で実行可能とする構成としても良い。例えば、設定値１〜６に、実施例１，２と同じ六種類の第一短時間開放態様のみを夫々設定し、該設定値１〜６の変更によって、開放時間の異なる単一開放作動が実行されるようにしても良い。この場合には、設定値に関わらず、同じ開放時間の連続開放作動が実行される。また、設定値１〜６に、実施例１，２と同じ六種類の第二短時間開放態様のみを夫々設定し、該設定値１〜６の変更によって、開放時間の異なる連続開放作動が実行されるようにしても良い。この場合には、設定値に関わらず、同じ開放時間の単一開放作動が実行される。
【０１０７】
また、上述した実施例１は、一回目の開放時間が相互に異なる複数の第二短時間開放態様を備えた構成としたが、これに限らず、一回目の開放時間が全て同じであり且つ二回目の開放時間が相互に異なる複数の第二短時間開放態様を備えた構成であっても良い。この場合にも、実施例１と同様に、設定値１〜６の変更によって、利益調整できる。
【０１０８】
また、上述した実施例３，４は、設定値１〜６の変更によって第二短時間開放態様のみを変えるようにしたものであるが、これに限らず、該設定値１〜６によって第一短時間開放態様も変えることができるようにしても良い。例えば、第二短時間開放態様を夫々割り当てた設定値１〜６に、さらに、実施例１と同じ六種類の第一短時間開放態様を夫々設定する。これにより、設定値１〜６の変更に応じて、実施例１と同様に、開放時間の異なる単一開放作動を実行できる。
【０１０９】
また、上述した実施例３にあっては、各第二短時間開放態様の開放時間の最大値と最小値との時間差が基準開放時間の１／５以内としたが、これに限らず、該時間差が基準開放時間の１／５より大きくなっていても良い。これは、各第二短時間開放態様の総開放時間が全て同一であることから、いずれの場合も、理論上、大入賞口への入球率が等しいため、仮に、遊技者に、設定値の変更を知得されても、これに伴う機台選択の偏りを生ずる可能性が低いことに因る。
【０１１０】
また、上述した実施例４にあっては、各第二短時間開放態様の総作動時間を同一とした構成であり、該総作動時間を同一とすれば、二回の開放時間とインターバル時間とを様々に変更して設定可能である。例えば、図１２のように、一回目の開放時間と二回目の開放時間とが、設定値１〜６において、昇降順が逆となるように設定することもできる。又は、一回目の開放時間を各第二短時間開放態様で全て同じとし、かつ二回目の開放時間とインターバル時間との合計を各第二短時間開放態様で同一とすることにより、総作動時間を全て同一としても良い。この場合には、二回目の開放時間とインターバル時間とが、各第二短時間開放態様で相互に異なる。同様に、二回目の開放時間を全て同一とし、かつ一回目の開放時間とインターバル時間との合計を各第二短時間開放態様で同一とした構成であっても良い。
【０１１１】
また、実施例１，２は、六種類の第一短時間開放態様と第二短時間開放態様とを夫々設定した設定値１〜６のなかから一の設定値を、遊技店の従業員によりセットできる構成としたが、選択可能な設定値の数は、適宜設定することが可能である。例えば、三種類の第一短時間開放態様と第二短時間開放態様とを夫々設定した設定値１〜３のなかから一の設定値を、従業員によりセットできる構成としても良い。同様に、実施例３，４は、六種類の第二短時間開放態様を夫々設定した設定値１〜６のなかから一の設定値を、従業員によりセットできる構成としたが、選択可能な設定値の数は、適宜設定することが可能である。
【０１１２】
また、実施例１〜４のパチンコ機１は、上皿５５と下皿６３とを備えた構成であるが、これに限らず、いわゆる封入式のパチンコ機であっても良い。封入式のパチンコ機は、内部に封入した所定個数の遊技球を循環させることによって遊技を行うものである。こうした封入式のパチンコ機に、上述の実施例１〜４のいずれも適用可能であり、同様の作用効果を奏し得る。また、実施例１〜４のパチンコ機は、いわゆる管理遊技機であっても良い。管理遊技機は、主制御装置への外部からのアクセスを不能とするものであり、主制御装置から枠制御装置（実施例の払出制御装置に相当）へ一方向にのみ通信可能とし、枠制御装置を介してのみホールコンピュータと通信可能な構成である。こうした管理遊技機に、上述した実施例１〜４のいずれも適用可能であり、同様の作用効果を奏し得る。
【０１１３】
また、実施例１〜４の構成は、特別遊技の各開閉ラウンド中における特定領域４５への入球を条件として、継続制限回数まで開閉ラウンドを継続するようにしたものであるが、これに限らず、特定領域４５への入球の有無に関わらず、所定の継続制限回数（１５回）まで開閉ラウンドを繰り返すようにしても良い。かかる場合には、特別遊技の非実行中に、大入賞口１４に流入した遊技球が特定領域４５に入球すると、大当りとなって、開閉ラウンドを１５回繰り返す特別遊技が実行される。この場合の特定領域４５は、開閉ラウンドを継続させるための継続領域としての機能を有しない。
【０１１４】
また、実施例１〜４の構成にあっては、閉鎖作動領域６内に流入した遊技球を、振分部材３５により特定領域４５または一般領域４６に振り分ける構成としたが、該遊技球を振り分ける機構は、該振分部材３５の他にも様々な構成のものを適用できる。例えば、閉鎖作動領域内に流入した遊技球を一旦停留させる停留部を備え、所定タイミング（例えば、所定数の遊技球が停留したタイミング）で遊技球を特定領域または一般領域に誘導する構成とすることもできる。さらには、外周縁部に一個の遊技球を受ける球受け部が形成された円盤状の回転部材を、閉鎖作動領域内に備え、該回転部材を回転作動することによって、該閉鎖作動領域内に流入した遊技球を前記球受け部で一個毎受けて、特定領域または一般領域に振り分ける構成としても良い。
さらに、こうした振分機構にあっては、特別遊技の非実行状態で閉鎖作動領域内に流入した遊技球を、予め設定された確率に従って特定領域へ誘導する構成としても良い。例えば、大入賞口への入球を契機として、当り又はハズレの抽選を行い、当りの場合に、振分機構によって遊技球を特定領域に誘導し、ハズレの場合に、該振分機構によって遊技球を一般領域に誘導する構成とすることができる。こうした振分機構としては、上述した実施例１〜４と同様の振分部材３５を適用可能である他、上記した停留部や回転部材などを備えた構成も適用可能である。また、前記した特定領域に誘導する構成は、上述した該特定領域を継続領域としての機能を有する構成又は有しない構成とのいずれにも適用可能である。そして、特定領域が継続領域としての機能を有する構成の場合には、特別遊技の非実行状態における、特定領域への誘導確率（前記抽選の当選確率）と、特別遊技中における特定領域（継続領域）への該誘導確率とを、同じ確率に設定しても良いし、相互に異なる確率に設定しても良い。
【符号の説明】
【０１１５】
１  パチンコ機（弾球遊技機）
２  遊技盤
３  遊技領域
５  可変入賞装置
６  閉鎖作動領域
１１  第一始動口
１２  第二始動口
１４  大入賞口
３１  可動片
【図１】
2019063396.tif 000003
【図２】
2019063396.tif 000004
【図３】
2019063396.tif 000005
【図４】
2019063396.tif 000006
【図５】
2019063396.tif 000007
【図６】
2019063396.tif 000008
【図７】
2019063396.tif 000009
【図８】
2019063396.tif 000010
【図９】
2019063396.tif 000011
【図１０】
2019063396.tif 000012
【図１１】
2019063396.tif 000013
【図１２】
2019063396.tif 000014